(57)【要約】【課題】操作部材の回転操作による表示手段の修正時の操作性を向上できる電子時計の提供。【解決手段】電子時計１０は、表示情報を表示する表示装置２０と、表示装置２０を駆動する駆動機構１４０と、回転操作が可能なリューズ５０と、リューズ５０の回転操作により表示装置２０で表示される表示情報を修正する制御装置１５０とを有する。制御装置１５０は、リューズ５０の回転操作により選択される単修正モードと、連続修正モードとを有する。単修正モードは、駆動機構１４０に単修正信号を出力して表示装置２０を単一修正量で修正する。連続修正モードは、駆動機構１４０に連続修正信号を出力して表示装置２０を連続修正量で修正する。連続修正量は、連続修正モードで修正される表示情報の種類に応じて設定される。【選択図】図５
2015184186.tif 000002
【特許請求の範囲】
【請求項１】
表示情報を表示する表示手段と、
前記表示手段を駆動する駆動機構と、
回転操作が可能な操作部材と、
前記操作部材の回転操作により前記表示手段で表示される前記表示情報を修正する制御手段とを有し、
前記制御手段は、前記操作部材の回転操作により選択される単修正モードと連続修正モードとを有し、
前記単修正モードは、前記駆動機構に単修正信号を出力して前記表示手段を単一修正量で修正し、
前記連続修正モードは、前記駆動機構に連続修正信号を出力して前記表示手段を連続修正量で修正し、
前記連続修正量は、前記連続修正モードで修正される前記表示情報の種類に応じて設定されることを特徴とする電子時計。
【請求項２】
請求項１に記載した電子時計において、
前記操作部材は所定角度回転すると回転操作が検出され、
前記制御手段は、
所定時間内に回転操作が１回検出された場合に、前記単修正モードを選択し、
所定時間内に同一方向の回転操作が連続して複数回検出された場合に、前記連続修正モードを選択することを特徴とする電子時計。
【請求項３】
請求項１または請求項２に記載した電子時計において、
前記制御手段は、前記連続修正量を、前記連続修正モードで修正される前記表示情報の修正量の総数と同じ修正量とすることを特徴とする電子時計。
【請求項４】
請求項１から請求項３のいずれか一項に記載した電子時計において、
前記制御手段は、前記駆動機構が、前記表示手段の順方向の修正または逆方向の修正のいずれかのみ可能な場合は、前記連続修正量を前記単一修正量と同じ修正量とすることを特徴とする電子時計。
【請求項５】
請求項１から請求項４のいずれか一項に記載した電子時計において、
前記制御手段は、前記表示情報の修正量の総数が予め設定された設定値以下のとき、前記連続修正量を前記単一修正量と同じ修正量とすることを特徴とする電子時計。
【請求項６】
請求項１から請求項５のいずれか一項に記載した電子時計において、
前記制御手段は、前記表示情報の修正量の総数分が連続して修正された場合の所要時間が予め設定した設定時間以下のとき、前記連続修正量を前記単一修正量と同じ修正量とすることを特徴とする電子時計。
【請求項７】
請求項１から請求項６のいずれか一項に記載した電子時計において、
前記制御手段は、
前記表示情報が、衛星信号を受信することで設定される情報、修正時の前記表示手段の移動量が一定でない情報、修正時に前記表示手段で表示される前記表示情報に連続性がない情報のいずれかであるとき、前記連続修正量を前記単一修正量と同じ修正量とすることを特徴とする電子時計。
【発明の詳細な説明】
【技術分野】
【０００１】
本発明は、操作部材の操作により表示情報を修正する電子時計に関する。
【背景技術】
【０００２】
従来、電子式リューズにより表示情報を修正する電子時計が知られている（例えば、特許文献１参照）。
【０００３】
特許文献１の電子時計は、時刻等の表示情報を、文字板上の指針等の表示手段で表示するとともに、これらの表示情報の修正を電子式リューズにより行うことができる。
特許文献１の電子時計では、電子式リューズにより表示情報を修正する際に、リューズの軸方向の引き出し位置に応じて、リューズを回転操作したときの回転信号の計測条件を可変し、計測条件に基づいて修正対象となる情報の修正量を可変している。
このように修正量を可変させることで、リューズの操作位置によって操作性が異なるというリューズの欠点を補い、リューズによる修正操作をしやすくしている。
【先行技術文献】
【特許文献】
【０００４】
【特許文献１】特開２００８−１３４１２９号公報
【発明の概要】
【発明が解決しようとする課題】
【０００５】
しかしながら、修正対象となる情報の切り替えを、リューズの軸方向の位置ではなく、ボタン操作で行う必要がある場合、前述した特許文献１の電子時計では、リューズを回転操作したときの回転信号の計測条件、および修正量を変えることができず、ユーザーの意思に沿ったきめ細かな修正ができないという課題がある。
【０００６】
例えば、１／５秒クロノグラフ針、分クロノグラフ針、時クロノグラフ針の３つのクロノグラフ針を備えて、最大６時間の計測が可能なクロノグラフ機能を備えている電子時計において、リューズを２段引き出してクロノグラフ針の基準位置（０位置）を修正するモードに移行し、ボタン操作で前記３種類のクロノグラフ針から修正対象を選択する場合がある。
特許文献１の電子時計において、このようなクロノグラフ針の基準位置を修正する場合を想定すると、リューズの引き出し位置は変更されないため、ボタン操作で修正対象を変更しても、回転信号の計測条件、修正量を変更できない。このため、指針を１ステップ毎移動する通常修正モード（単修正モード）と、指針を複数ステップ連続して移動する連続修正モードとを選択できる場合、連続修正モードの修正量もリューズの引き出し位置が同じであれば同じ修正量となる。
【０００７】
このため、いずれかのクロノグラフ針の修正に適した設定を行うと、他のクロノグラフ針の修正が不便になるという課題がある。
例えば、１／５秒クロノグラフ針の基準位置（０位置）をリューズで修正する場合、１／５秒クロノグラフ針の修正量の総数は３００（０〜２９９）と多い。このため、リューズを２段位置に引き出した場合、通常修正モードでの修正量は「１」とし、連続修正モードでの修正量を「３００」とすれば、１／５秒クロノグラフ針の修正操作が容易になる。
しかし、時クロノグラフ針では、修正量の総数が６（０〜５）と少ないため、針を１ステップずつ修正する動作で十分であり、連続修正する動作では意図した目盛に合わせにくい。すなわち、連続修正量が３００である場合に、意図せずに連続修正モードに移行してしまうと、修正量の総数（６）の５０倍もの修正量が入力され、時クロノグラフ針が複数回、回転してしまい、時クロノグラフ針を基準位置に合わせる操作が困難になるという課題がある。
このような課題は、指針に限らず、カレンダー車等の表示手段を、リューズなどの操作部材の回転操作で修正する場合に共通する課題である。
【０００８】
本発明の目的は、操作部材の回転操作による表示手段の修正時の操作性を向上できる電子時計を提供することにある。
【課題を解決するための手段】
【０００９】
本発明の電子時計は、表示情報を表示する表示手段と、前記表示手段を駆動する駆動機構と、回転操作が可能な操作部材と、前記操作部材の回転操作により前記表示手段で表示される前記表示情報を修正する制御手段とを有し、前記制御手段は、前記操作部材の回転操作により選択される単修正モードと連続修正モードとを有し、前記単修正モードは、前記駆動機構に単修正信号を出力して前記表示手段を単一修正量で修正し、前記連続修正モードは、前記駆動機構に連続修正信号を出力して前記表示手段を連続修正量で修正し、前記連続修正量は、前記連続修正モードで修正される前記表示情報の種類に応じて設定されることを特徴とする。
【００１０】
本発明において、表示情報としては、例えば現在時刻情報、日付や曜日、クロノグラフの計時情報、衛星信号の受信で取得される現在位置やその現在位置に基づいて選択されるタイムゾーンや、現在地と異なるタイムゾーンの時刻（ホームタイム）などが例示される。表示手段としては、指針、カレンダー車等の表示車などが例示される。操作部材としてはリューズが利用できる。
このような本発明では、表示手段により表示情報が表示される。表示手段における表示情報は、操作部材の回転操作により修正することができる。この際、制御手段は、操作部材の回転操作により、単修正モードまたは連続修正モードを選択する。
単修正モードでは、制御手段は、操作部材の回転操作を検出するたびに、前記駆動機構に単修正信号を出力して指針等の表示手段を単一修正量で修正する。このため、指針等の表示手段は、修正される表示情報を１目盛分ごと修正することができ、細かな設定を行うことができる。
【００１１】
連続修正モードは、前記駆動機構に連続修正信号を出力して指針等の表示手段を連続修正量で修正する。この連続修正量は、修正される表示情報に応じて設定される。前記連続修正信号が出力されている間は、操作部材を操作することなく表示手段の修正が連続して実行されるため、表示手段を早送りなどすることができ、迅速な修正操作を行うことができる。また、連続修正中に操作部材で回転操作を行うことで、連続修正を停止できるように構成することで、連続修正中にユーザーの意図した修正位置の近くで連続修正を停止し、単修正モードで修正位置に移動することができるので、単修正操作を繰り返すよりも修正操作を省力化できる。
【００１２】
また、本発明では、制御手段により、連続修正モードにおける連続修正量の数が表示情報の種類に応じて設定される。これにより、情報の種類に応じて連続修正量を可変にすることができるので、表示情報の修正量の総数などに応じてきめ細やかな修正が可能になる。
例えば、表示情報の修正量の総数が２〜６０と少ない場合や、修正量の総数分の修正時間が４秒以下などと短い場合は、連続修正操作を行うと、表示手段の修正完了までの時間が短いため、ユーザーが意図する修正位置を通り過ぎてしまうことが多い。
一方で、表示情報の修正量の総数が６０〜７２０等と多い場合や、修正量の総数分の修正時間が５秒以上と長い場合に、前記修正量の総数が少ない情報に適した連続修正量で修正すると、一度の連続修正操作では修正量が足りない場合があり、複数回の連続修正操作を行わなければならない。
このように、いずれの場合も操作部材で修正操作を繰り返す必要があり、修正操作性が低下する。
【００１３】
これに対し、本発明では、連続修正モードで修正される表示情報の種類に応じて連続修正量を設定しているので、例えば、表示情報毎にその修正量の総数に合わせた連続修正量を設定できる。このため、連続修正モードにおいても、ユーザーが意図した目盛に修正しやすくでき、表示手段の修正時の操作性を向上できる。
【００１４】
本発明の電子時計において、前記操作部材は所定角度回転すると回転操作が検出され、前記制御手段は、所定時間内に回転操作が１回検出された場合に、前記単修正モードを選択し、所定時間内に同一方向の回転操作が連続して複数回検出された場合に、前記連続修正モードを選択することが好ましい。
本発明では、ユーザーは、所定時間内の操作部材の回転操作量を変更するだけで、単修正モードまたは連続修正モードを選択することができる。したがって、ボタン操作などで各モードを選択する場合に比べて、表示手段の修正時の操作性を向上できる。
【００１５】
本発明の電子時計において、前記制御手段は、前記連続修正量を、前記連続修正モードで修正される前記表示情報の修正量の総数と同じ修正量とすることが好ましい。
ここで、表示情報の修正量の総数とは、指針等の表示手段が修正開始の元の位置に戻るまで、つまり同じ情報を表示するまでの修正量である。例えば、秒針のように、１回転（３６０度）回転すると同じ秒を指示する指針であれば、修正量の総数は前記指針を１回転させるのに必要な修正量を意味する。
【００１６】
本発明では、連続修正量を、表示情報の修正量の総数と同じ修正量としたので、単修正モードでの修正操作を行おうとしたユーザーが誤って連続修正操作を行った場合でも、表示手段が一巡して元の位置に戻る。従って、誤って連続修正操作を行った場合でも、ユーザーが意図した修正位置から大きくずれてしまうことがない。従って、続けて単修正モードでの修正操作を行うことで、ユーザーが意図した修正位置に容易に修正することができる。
【００１７】
本発明の電子時計において、前記制御手段は、前記駆動機構が、前記表示手段の順方向の修正または逆方向の修正のいずれかのみ可能な場合は、前記連続修正量を前記単一修正量と同じ修正量とすることが好ましい。
表示手段には片方向にしか変化しないものがある。例えば、時計に太い針を取り付けたとき、指針を駆動するモーターの仕様の制限（時計の動作電圧の制限など）により、一方向にしか回転しないモーターを用いなければならず、指針の回転方向が片方向（正転方向のみ）になる場合がある。
【００１８】
このような片方向の表示情報の修正操作の際に、連続修正操作による修正量が多いと、誤って連続修正操作を行った場合に、ユーザーの意図した修正位置を過ぎてしまう可能性が高い。
このような行き過ぎを回復するためには、逆方向の操作が最適である。しかし、前述した通り表示手段が片方向にしか変化しない表示情報では、逆方向に戻す操作が行えない。このため、表示手段を単修正操作で意図した位置に移動する必要があり、修正操作が煩雑となる。
これに対し、本発明では、連続修正量を、単一修正量と同じにすることで、誤って連続修正操作を行った場合でも、単一修正量の移動に制限されるので、表示手段が意図した修正位置を行き過ぎることを防止でき、修正操作性を向上できる。
【００１９】
本発明の電子時計において、前記制御手段は、前記表示情報の修正量の総数が予め設定された設定値以下のとき、前記連続修正量を前記単一修正量と同じ修正量とすることが好ましい。
表示情報の修正量の総数が少ない場合、連続修正量を多くすると、誤って連続修正操作を行った場合に、ユーザーの意図した修正位置を過ぎてしまう可能性が高い。
これに対し、本発明では、連続修正量を、単一修正量と同じにすることで、誤って連続修正操作を行った場合でも、単一修正量の移動に制限されるので、表示手段が意図した修正位置を行き過ぎることを防止でき、修正操作性を向上できる。
さらに、表示情報の修正量の総数が少ないため、連続修正量を単一修正量と同じにしても、ユーザーの修正操作の負担が増えることがなく、修正操作性の低下も防止できる。
【００２０】
本発明の電子時計において、前記制御手段は、前記表示情報の修正量の総数分が連続して修正された場合の所要時間が予め設定した設定時間以下のとき、前記連続修正量を前記単一修正量と同じ修正量とすることが好ましい。
表示手段が修正量の総数分だけ修正する時間、つまり表示手段が一巡する時間（表示手段が一周して元の位置に戻るまでの時間）が短い場合（例えば、表示情報を示す指針の駆動周波数が高い場合や、表示情報の修正量の総数が少ない場合など）、単修正操作だけでも容易に修正が行える。
【００２１】
また、ユーザーが誤って連続修正操作を指示した場合に、連続修正量が多いと、短時間で表示手段が一巡してしまうので、ユーザーが意図した修正位置に合わせにくい。
これに対し、本発明では、連続修正量を、単一修正量と同じにすることで、誤って連続修正操作を行った場合でも、単一修正量の移動に制限されるので、表示手段が意図した修正位置を行き過ぎることを防止でき、修正操作性を向上できる。
さらに、表示情報の修正量の総数が少ないため、連続修正量を単一修正量と同じにしても、ユーザーの修正操作の負担が増えることがなく、修正操作性の低下も防止できる。
【００２２】
本発明の電子時計において、前記制御手段は、前記表示情報が、衛星信号を受信することで設定される情報、修正時の前記表示手段の移動量が一定でない情報、修正時に前記表示手段で表示される前記表示情報に連続性がない情報のいずれかであるとき、前記連続修正量を前記単一修正量と同じ修正量とすることが好ましい。
衛星信号を受信することで設定される情報としては、例えばタイムゾーン情報がある。修正時の表示手段の移動量が一定でない情報としては、例えば扇形状に曜日が表示されて指針を基準位置から一方向に移動する場合は各曜日の目盛毎移動し、端部まで移動した後は基準位置まで一度に移動するような情報である。修正時に前記表示手段で表示される前記表示情報に連続性がない情報としては、０時間から＋１４時間まで修正された後、−１２時間から０時間に修正されるタイムゾーン情報などがある。
【００２３】
このような本発明では、表示情報の修正量が一定でないため、連続修正量を大きくするとユーザーの意図した位置に修正することが難しい場合がある。これに対し、本発明では、連続修正量を、単一修正量と同じにすることで、誤って連続修正操作を行った場合でも、単一修正量の移動に制限されるので、表示手段が意図した修正位置を行き過ぎることを防止でき、修正操作性を向上できる。
【図面の簡単な説明】
【００２４】
【図１】本発明に係る第１実施形態の電子時計の概略正面図である。
【図２】本実施形態の電子時計を示す正面図である。
【図３】本実施形態の電子時計の概略断面図である。
【図４】本実施形態の回転検出部の概略構成を示す図である。
【図５】本実施形態の電子時計の構成を示すブロック図である。
【図６】本実施形態の記憶装置の構成を示すブロック図である。
【図７】本実施形態の表示修正データを示す図である。
【図８】本実施形態の表示修正のフローチャートである。
【図９】図８におけるリューズ回転操作判定処理のフローチャートである。
【図１０】図７における初期モードの信号判定処理のフローチャートである。
【図１１】図７における早回し判定モードの信号判定処理のフローチャートである。
【図１２】図７における早回し停止判定モードの信号判定処理のフローチャートである。
【図１３】本実施形態のタイムゾーン操作モードの動作を示す模式図である。
【図１４】本実施形態のタイムゾーン操作モードの動作の続きを示す模式図である。
【図１５】本実施形態のクロノグラフ針の基準位置合わせモードの動作を示す模式図である。
【図１６】本実施形態のクロノグラフ針の基準位置合わせモードの動作の続きを示す模式図である。
【図１７】本実施形態のクロノグラフ針の基準位置合わせモードの動作の続きを示す模式図である。
【図１８】本実施形態のクロノグラフ針の基準位置合わせモードの動作の続きを示す模式図である。
【図１９】本実施形態の日付修正モードの動作を示す模式図である。
【図２０】本実施形態の日付修正モードの動作を示す模式図である。
【図２１】本実施形態の表示修正データを示す図である。
【図２２】本発明に係る第２実施形態の電子時計を示す模式図であり、（Ａ）は通常運針状態を示す図、（Ｂ）は日付修正モードに入る操作を示す図である。
【図２３】本実施形態の日付修正モードの動作を示す模式図である。
【図２４】本実施形態の曜日修正モードの動作を示す模式図である。
【図２５】本発明の実施形態における表示情報が修正により一巡する所要時間の一例を示す図である。
【発明を実施するための形態】
【００２５】
以下、本発明の具体的な実施形態を図面に基づいて説明する。
〔第１実施形態〕
図１は、本発明の第１実施形態に係る電子時計１０の概略正面図である。
図１に示すように、電子時計１０は、地球の上空を所定の軌道で周回している複数のＧＰＳ衛星８のうち、少なくとも１つのＧＰＳ衛星８からの衛星信号を受信して時刻情報を取得し、少なくとも３つのＧＰＳ衛星８からの衛星信号を受信して位置情報を算出するように構成されている。なお、ＧＰＳ衛星８は、位置情報衛星の一例であり、地球の上空に複数存在している。現在は約３０個のＧＰＳ衛星８が周回している。
【００２６】
［電子時計の概略構成］
図２は電子時計１０の詳細な正面図である。図３は電子時計１０の概略断面図である。
電子時計１０は、ユーザーの手首に装着される腕時計である。本実施形態の電子時計１０は、ワールドタイム機能とクロノグラフ機能とを備えている。
【００２７】
電子時計１０は、図２および図３に示すように、外装ケース３０と、カバーガラス３３と、裏蓋３４とを備えている。
外装ケース３０は、金属で形成された円筒状のケース３１に、セラミックで形成されたベゼル３２が嵌合されて構成されている。ベゼル３２の内周側には、プラスチックで形成されたリング状のダイヤルリング４０を介して、円盤状の文字板１１が配置されている。
【００２８】
文字板１１の表面側（カバーガラス３３側）には、指針２１，２２，２３が設けられている。
文字板１１には、中心より２時方向に円形の第１小窓７０と指針７１とが設けられ、中心より１０時方向に円形の第２小窓８０と指針８１とが設けられ、中心より６時方向に円形の第３小窓９０と指針９１とが設けられ、４時方向に矩形のカレンダー小窓１５とが設けられている。
文字板１１、指針２１，２２，２３、第１小窓７０、指針７１、第２小窓８０、指針８１、第３小窓９０、指針９１およびカレンダー小窓１５などは、カバーガラス３３を透して、視認可能となっている。
また、文字板１１の裏面側にはカレンダー車（日車）１６が配置され、このカレンダー車１６はその一部がカレンダー小窓１５から視認可能となっている。
【００２９】
本実施形態において、前述した指針２１，２２，２３，７１，８１，９１およびカレンダー車１６により表示装置２０が構成されている。この表示装置２０が、本発明の表示手段である。
表示装置２０においては、秒針である指針８１、分針である指針２２、時針である指針２３により現在時刻が表示され、カレンダー車１６により現在日付が表示される。１／５秒クロノグラフ針である指針２１、分クロノグラフ針である指針７１、時クロノグラフ針である指針９１によりクロノグラフ機能の計時結果が表示される。
また、指針９１は、後述するように、サマータイムの設定のオン・オフ、電池残量レベル、受信モード等の各種モード情報の指示も兼用している。
本実施形態において、表示装置２０に表示される現在時刻（時分秒）、現在日付およびクロノグラフ計時結果（時分および１／５秒）、各種モード情報が、本発明の表示情報である。
【００３０】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、３時方向の位置にリューズ５０とが、設けられている。
これらのＡボタン６１、Ｂボタン６２、Ｃボタン６３、Ｄボタン６４およびリューズ５０が操作されることにより、操作に応じた操作信号が出力される。
本実施形態において、リューズ５０が、本発明の操作部材である。そして、リューズ５０およびＡボタン６１、Ｂボタン６２、Ｃボタン６３、Ｄボタン６４により、入力装置６９（操作部）が構成されている。リューズ５０に対する回転操作は、後述する回転検出部５９（図４参照）により検出される。
【００３１】
［電子時計の内部構造］
電子時計１０は、図３に示すように、金属製の外装ケース３０の表裏二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３を含む表示装置２０（図３では図示しない指針７１，８１，９１およびカレンダー車１６を含む）を駆動する駆動機構１４０などが備えられている。
指針軸２５は、外装ケース３０の平面視中心を通り、表裏方向に延在する中心軸に沿って設けられている。
【００３２】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ体１１０が収納されている。
【００３３】
アンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング４０、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００３４】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
文字板１１と、駆動機構１４０が取り付けられている地板１２５との間には、光発電を行うソーラーパネル１３５が備えられている。
【００３５】
ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５および地板１２５には、指針軸２５と、第１小窓７０の指針７１、第２小窓８０の指針８１および第３小窓９０の指針９１の指針軸（図示せず）とが貫通する穴が形成されているとともに、カレンダー小窓１５の開口部が形成されている。
【００３６】
駆動機構１４０は、地板１２５に取り付けられ、かつ回路基板１２０で背面側から覆われている。
駆動機構１４０は、図５に示すように、秒針モーター１４１、時分針モーター１４２、カレンダーモーター１４３、１／５秒クロノグラフ針モーター１４４、分クロノグラフ針モーター１４５、モード針／時クロノグラフ針モーター１４６を備えている。
【００３７】
秒針モーター１４１は、指針８１を駆動して現在時刻の秒を表示する。
時分針モーター１４２は、指針２２および指針２３を駆動して現在時刻の分および時を表示する。
カレンダーモーター１４３は、カレンダー車１６を駆動して現在の日付を表示する。
１／５秒クロノグラフ針モーター１４４は、指針２１を駆動してクロノグラフ機能における秒を表示する。
分クロノグラフ針モーター１４５は、指針７１を駆動してクロノグラフ機能での分を表示する。
モード針／時クロノグラフ針モーター１４６は、指針９１を駆動してクロノグラフ機能での時を表示し、または、電子時計１０のモード情報を表示する。
【００３８】
これらの駆動機構１４０の各モーター１４１〜１４６はステップモーターであり、歯車等の輪列を介して表示装置２０を構成する各指針２１，２２，２３，７１，８１．９１およびカレンダー車１６を駆動する。後述する制御装置１５０は、各モーター１４１〜１４６への駆動信号の入力を制御し、表示装置２０の各部を駆動する。以下の説明において、各指針２１，２２，２３，７１，８１．９１およびカレンダー車１６を、表示情報の１目盛（表示情報の最少修正単位）だけ移動する場合の修正量（ステップモーターの駆動量）を１ステップということがある。
【００３９】
回路基板１２０は、本発明の受信手段および情報取得手段としての受信装置１２２（ＧＰＳモジュール）、および制御装置１５０を備えている。
回路基板１２０の裏蓋３４側（受信装置１２２および制御装置１５０が設けられた裏面側）には、これらの回路部品を覆うための回路押さえ１２１が設けられている。地板１２５と裏蓋３４との間には、リチウムイオン電池などの二次電池１３０が設けられている。
【００４０】
二次電池１３０は、充電回路１３１（図５参照）により、ソーラーパネル１３５が発電した電力で充電される。
なお、回路押さえ１２１には、二次電池１３０を外装ケース３０内に収めるための開口が設けられている。また、回路基板１２０とアンテナ体１１０との間には、環状に形成された地板受リング１１６が配置されている。
【００４１】
アンテナ体１１０は、給電点を通じて給電され、この給電点には、アンテナ接続ピン１１５が接続されている。アンテナ接続ピン１１５は金属で形成されたピン状のコネクターであり、地板受リング１１６を貫通して配置され、回路基板１２０に当接している。これにより、回路基板１２０と、収納空間内部のアンテナ体１１０とが、アンテナ接続ピン１１５で接続されている。
【００４２】
［回転検出部］
回路基板１２０には、リューズ５０の回転を検出する回転検出部５９が設けられている。
回転検出部５９は、リューズ５０が回転操作された際に、その回転方向と回転量を検出する。
リューズ５０は、図４に示すように、巻真５１と、この巻真５１に中心が固定されたスイッチ車５２とを備えている。スイッチ車５２は、外周縁に複数（本実施形態では１２０度間隔となる３つ）の歯５３を備えている。
【００４３】
回転検出部５９は、図４に示すように、移動体５８と、接点５７Ａ，５７Ｂを有する接点バネ５７と、第一スイッチ５６Ａと、第二スイッチ５６Ｂと、を備えている。
移動体５８は、スイッチ車５２の歯５３の移動経路上で、スイッチ車５２の外周縁の接線方向に移動可能に設けられている。そして、移動体５８は、スイッチ車５２の歯５３が接触すると、図４（Ｂ）に示すように、スイッチ車５２の回転方向（リューズ５０の回転操作方向）に移動する。
【００４４】
接点バネ５７は、移動体５８に固定され、当該移動体５８を、歯５３の移動経路上である初期位置（図４（Ａ）に示す位置）側に付勢する。したがって、リューズ５０が回転操作（右回転、正転方向）されると、図４（Ｂ）に示すように、歯５３により移動体５８が移動された。さらに、リューズ５０を同方向に回転すると、歯５３で移動体５８が移動されることで、接点バネ５７が撓み、歯５３が移動体５８を乗り越えて移動する。そして、歯５３が移動体５８から離れると、移動体５８は、接点バネ５７の付勢力により初期位置に戻る。
【００４５】
この接点バネ５７は、後述する制御装置１５０（図５参照）に接続され、所定の電源電圧（ＶＤＤ）が印加されている。したがって、移動体５８が第一スイッチ５６Ａ側に移動した際に、接点バネ５７の一方の接点５７Ａが当該第一スイッチ５６Ａに接触する。また、移動体５８が第二スイッチ５６Ｂ側に移動した際に、接点バネ５７の他方の接点５７Ｂが当該第二スイッチ５６Ｂに接触する。
第一スイッチ５６Ａおよび第二スイッチ５６Ｂは、それぞれ制御装置１５０に接続され、制御装置１５０は第一スイッチ５６Ａおよび第二スイッチ５６Ｂも接点バネ５７が接触したことを検出できる。
【００４６】
このような回転検出部５９では、リューズ５０が右回転されると、接点５７Ａと第一スイッチ５６Ａとが接触することで、第一スイッチ５６Ａがオン状態となり、第一スイッチ５６Ａを介して接点バネ５７の電圧信号（ＶＤＤ）が検出信号として制御装置１５０に入力される。
同様に、リューズ５０が逆方向に回転操作（左回転）されると、接点５７Ｂと第二スイッチ５６Ｂとが接触することで、第二スイッチ５６Ｂがオン状態となり、第二スイッチ５６Ｂを介して接点バネ５７の電圧信号（ＶＤＤ）が検出信号として制御装置１５０に入力される。
したがって、第一スイッチ５６Ａがオン状態になったか、第二スイッチ５６Ｂがオン状態になったかを判定することで、リューズ５０の回転方向を検出することが可能となる。
本実施形態では、上述したように、歯５３が１２０度間隔で配置されているため、回転検出部５９は、リューズ５０が１２０度回転される毎に検出信号を制御装置１５０に出力する。
【００４７】
リューズ５０は、巻真５１の軸方向に０〜２段の３段階で移動可能な構成となっている。そして、回転検出部５９は、リューズ５０が引き出された段数に応じた信号を制御装置１５０に出力する第三スイッチ５５Ａ（図５参照）および第四スイッチ５５Ｂ（図５参照）を備えている。
第三スイッチ５５Ａは、リューズ５０が１段引き出された際に制御装置１５０に引出検出信号を出力する。第四スイッチ５５Ｂは、リューズ５０が２段引き出された際に制御装置１５０に引出検出信号を出力する。
制御装置１５０は、引出検出信号が出力されたスイッチを判定することで、リューズ５０の引出段数を判断することが可能となる。
【００４８】
［電子時計の表示部分の詳細］
文字板１１の最外周には、図２に示すように、外周を６０分割にする目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ａボタン６１、Ｂボタン６２、Ｃボタン６３と、Ｄボタン６４のいずれかのボタンの操作で、使用することができる。
【００４９】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
文字板１１に設けられている円形の第２小窓８０の外周には、外周を６０分割にする目盛と、「０」から「１１」までの数字が表記されている。指針８１は、この目盛を用いて内部時計の「秒」を表示する。
【００５０】
第２小窓８０の５２秒の位置にアルファベットの「Ｙ」と、３８秒の位置にアルファベットの「Ｎ」の英字が表記されている。この英字は、小窓に設けられる情報取得結果を示す表示に該当し、衛星から受信した衛星信号に基づく各種情報（第１情報および第２情報）の取得結果（Ｙ：受信（取得）成功、Ｎ：受信（取得）失敗）と、衛星信号の自動受信（Ｙ：自動受信ＯＮ、Ｎ：自動受信ＯＦＦ）の設定とを表す。
ユーザーがＢボタン６２を操作することにより、情報取得結果の表示モードに移行すると、指針８１が「Ｙ」または「Ｎ」のいずれか一方を指示し、衛星信号に基づく第１情報および第２情報の取得結果を表示する。また、ユーザーがＡボタン６１とＢボタン６２とを操作して、指針８１を「Ｙ」または「Ｎ」に合わせることで、衛星信号の自動受信のＯＮ／ＯＦＦを設定することができる。
【００５１】
また、第２小窓８０は、平面視、すなわち文字板１１を表面側から見たとき、文字板１１の左半分の領域に位置している。そのため、アルファベットの「Ｙ」，「Ｎ」は、幅の広い指針２２，２３が当該第２小窓８０に重なるように位置した場合でも、当該アルファベット「Ｙ」，「Ｎ」が認識し易いように第２小窓８０の左半分の領域の外縁近傍に配置されている。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示などの他の小窓が設けられる位置に応じて、視認しやすい位置に設けることが好ましい。例えば、第２小窓８０が文字板１１の右半分の領域に位置している場合には、アルファベット「Ｙ」，「Ｎ」を第２小窓８０の右半分の領域の外縁近傍に配置するようにしてもよい。
【００５２】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００５３】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。ユーザーがリューズ５０とＢボタン６２を操作して、指針９１を「ＤＳＴ」または「○」に合わせることで、電子時計１０に夏時間のＯＮ／ＯＦＦを設定することができる。
【００５４】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図３参照）のパワーインジケーターであり、電池の残量に応じて、指針９１が基端、先端、中間のいずれかを指し示す。なお、指針９１がパワーインジケーターを指示するのは、電子時計１０が通常時刻を表示している場合や、時刻を手動で修正する場合などである。
【００５５】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。ユーザーはＡボタン６１を操作し、指針９１で記号９３（機内モード）を選択することで、電子時計１０の衛星信号の受信を停止させることができる。
【００５６】
第３小窓９０の１０時方向から１２時方向までの範囲の外周には、「１」の数字と「４＋」の記号が表記されている。これらの数字と記号は、衛星信号の受信の内容（受信モード）を表す。「１」はＧＰＳ時刻情報を受信し内部時刻が修正されること（測時モード）を、「４＋」はＧＰＳ時刻情報と軌道情報とを受信し、内部時刻と後述するタイムゾーンとが修正されること（測位モード）を意味する。
また、電子時計１０は、ユーザーがＢボタン６２を押すことで受信動作を行うが、Ｂボタン６２が押される時間に応じて受信モードを設定する。
【００５７】
通常時刻表示時に、Ｂボタン６２が第１設定時間（例えば、３秒以上〜６秒未満）押されると、電子時計１０は、駆動機構１４０により時刻を指示していた指針（秒針）８１を０秒位置に駆動し、指針９１を図２の「１」の位置に駆動する。そして、３秒以上押されていたＢボタン６２が第１設定時間内（押し始めてから６秒未満）に離されると、電子時計１０は測時モードでの受信処理を実行する。
【００５８】
一方、Ｂボタン６２が第１設定時間内で離されずに押され続けられた場合は、第１設定時間を超えた時点（６秒経過時）で、電子時計１０は、上記０秒位置にある指針８１を正転で３０秒位置に駆動し、指針９１を図２の「４＋」の位置に駆動する。そして、電子時計１０は測位モードでの受信処理を実行する。
さらに、通常時刻表示時に、Ｂボタン６２が第３設定時間（例えば３秒未満）押されると、後述するように、電子時計１０は直前に受信した衛星信号の受信結果を表示する。
【００５９】
カレンダー小窓１５は、文字板１１を矩形状に開口した開口部に設けられており、開口部からカレンダー車１６に印刷された数字が視認可能となっている。この数字は、年月日の「日」を表す。
【００６０】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００６１】
上述したように、文字板１１には、６０分割された分および秒を表示する目盛が刻まれ、文字板１１の外周部を囲むダイヤルリング４０には、この目盛に沿って、協定世界時（ＵＴＣ）との時差を表す時差情報４５が数字と、数字以外の記号「・」と、で表記されている。数字の時差情報４５は整数の時差であり、記号「・」の時差情報４５は整数以外の時差であることを表している。例えば、「３」と「４」の間の「・」は、時差が「３：３０」であることを示す。「５」と「６」との間には２つの「・」が設定され、それぞれ時差が「５：３０」、「５：４５」を示す。本実施形態では、計４０のタイムゾーンを選択できるように設定されている。
【００６２】
指針２２，２３，８１で表示された内部時刻と、ＵＴＣとの時差は、リューズ５０の操作により指針２１の指し示す時差情報４５で確認することができる。
また、ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。ここで、時差情報４５と都市情報３５との表記をタイムゾーン表示４６という。本実施形態では、全世界で使用されているタイムゾーンの数と等しいタイムゾーン表示４６が表記されている。
【００６３】
［電子時計の回路構成］
図５は、電子時計１０の回路構成を示すブロック図である。
電子時計１０は、前述した表示装置２０、入力装置６９、受信装置１２２、制御装置１５０を備えるとともに、計時装置１５９、記憶装置１６０を備えている。
【００６４】
［受信装置］
受信装置１２２は、二次電池１３０に蓄積された電力で駆動される負荷であり、制御装置１５０によって駆動されると、アンテナ体１１０を通じてＧＰＳ衛星８から送信される衛星信号を受信する。そして、受信装置１２２は、衛星信号の受信に成功した場合には、取得した軌道情報やＧＰＳ時刻情報などの情報を制御装置１５０へ送信する。一方、衛星信号の受信に失敗した場合には、受信装置１２２は、その旨の情報を制御装置１５０へ送信する。なお、受信装置１２２の構成は、公知のＧＰＳ受信回路の構成と同様であるため、その説明を省略する。
【００６５】
［計時装置］
計時装置１５９は、二次電池１３０に蓄積された電力で駆動される水晶振動子等を備え、水晶振動子の発振信号に基づく基準信号を用いて時刻データを更新する。
【００６６】
［記憶装置］
記憶装置１６０は、図６に示すように、時刻データ記憶部１６１と、タイムゾーンデータ記憶部１６７と、定時受信時刻記憶部１６８と、表示修正データ記憶部１６９と、を備えている。
【００６７】
時刻データ記憶部１６１には、受信時刻データ１６２と、閏秒更新データ１６３と、内部時刻データ１６４と、時計表示用時刻データ１６５と、タイムゾーンデータ１６６とが記憶される。
【００６８】
受信時刻データ１６２には、衛星信号から取得した時刻情報（ＧＰＳ時刻）が記憶される。この受信時刻データ１６２は、通常は計時装置１５９によって１秒毎に更新され、衛星信号を受信した際には、取得した時刻情報（ＧＰＳ時刻）によって修正される。
【００６９】
閏秒更新データ１６３には、少なくとも現在の閏秒のデータが記憶される。すなわち、衛星信号の「サブフレーム４、ページ１８」には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ１６３に記憶している。
【００７０】
内部時刻データ１６４には、内部時刻情報が記憶される。この内部時刻情報は、受信時刻データ１６２に記憶されたＧＰＳ時刻と、閏秒更新データ１６３に記憶している「現在の閏秒」とによって更新される。すなわち、内部時刻データ１６４には、ＵＴＣ（協定世界時）が記憶されることになる。受信時刻データ１６２が前記計時装置１５９で更新される際に、この内部時刻情報も更新される。
【００７１】
時計表示用時刻データ１６５には、前記内部時刻データ１６４の内部時刻情報に、タイムゾーンデータ１６６のタイムゾーンデータ（タイムゾーン情報、時差情報）を加味した時刻データが記憶される。タイムゾーンデータ１６６は、測位モードで受信した場合に得られる位置情報で設定される。また、タイムゾーンデータ１６６は、後述するように、リューズ５０の回転操作によって手動でも設定できる。
【００７２】
タイムゾーンデータ記憶部１６７は、位置情報（緯度、経度）とタイムゾーン情報（時差情報）とを関連付けて記憶している。このため、測位モードで位置情報を取得した場合、制御装置１５０は、その位置情報（緯度、経度）に基づいてタイムゾーンデータを取得できるようにされている。
【００７３】
なお、タイムゾーンデータ記憶部１６７には、さらに、都市名とタイムゾーンデータとを関連付けて記憶されている。このため、入力装置６９の操作によって指針２１を移動して、ユーザーが現地時刻を知りたい都市名を選択すると、制御装置１５０は、タイムゾーンデータ記憶部１６７に対してユーザーが設定した都市名を検索し、その都市名に対応するタイムゾーンデータを取得してタイムゾーンデータ１６６に設定すればよい。
【００７４】
定時受信時刻記憶部１６８には、測時部１５１における定時受信処理を実行する定時受信時刻が記憶される。この定時受信時刻は、前回、強制受信に成功した時刻が記憶される。
【００７５】
［記憶装置の表示修正データ記憶部］
表示修正データ記憶部１６９は、後述する制御装置１５０の表示修正部１５５における動作に使用される表示修正データを記憶するものである。
表示修正データ記憶部１６９は、図７に示すように、表示修正モード１６９Ａ毎につまり修正対象の表示情報毎に、単修正操作での修正量である単一修正量１６９Ｂ、連続修正操作での修正量である連続修正量１６９Ｃ、表示修正モードを選択するためのリューズ段数１６９Ｄおよびボタン操作１６９Ｅが、それぞれ記憶されている。
【００７６】
ここで、単一修正量１６９Ｂは、単一の修正量、つまり「１」である。なお、単一修正量１６９Ｂの「１」とは、それぞれの表示情報の最少修正量である。例えば、図２に示すように、ダイヤルリング４０の時差情報４５には、前述の計４０のタイムゾーンが設定されているので、修正量の総数は「４０」であり、単一修正量の「１」は１つのタイムゾーン分である。なお、ダイヤルリング４０における各タイムゾーンの表示位置は等間隔ではないため、単一修正量の単修正信号による指針２１の運針角度も一定ではない。例えば、タイムゾーン「２」から「３」に移動する場合の指針２１の運針角度（５秒クロノグラフ針モーター１４４の駆動ステップ数）と、「３」から次の「・」つまり「３：３０」に移動する場合の指針２１の運針角度（５秒クロノグラフ針モーター１４４の駆動ステップ数）とは異なるが、いずれも単一修正量による修正である。
【００７７】
そして、表示修正モード１６９Ａが「タイムゾーン選択モード」であれば、単一修正量１６９Ｂは「１」、連続修正量１６９Ｃは「１」である。そして、この「タイムゾーン選択モード」を選択するための操作は、リューズ段数１６９Ｄは「１」段目、ボタン操作１６９Ｅは「なし」である。
【００７８】
表示修正データ記憶部１６９に記憶される項目のうち、単一修正量１６９Ｂは、単修正であるから基本的に「１」が設定される。
一方、連続修正量１６９Ｃについては、各表示修正モード１６９Ａの修正対象およびその修正量の総数に基づいて設定される。ここで、修正量の総数とは、表示手段である各指針２１，２２，２３，７１，８１，９１やカレンダー車１６が元の位置に戻るまでの修正量である。
【００７９】
例えば、「１／５秒クロノグラフ針修正モード」では、修正対象である指針２１の修正量の総数「３００」が連続修正量１６９Ｃに設定される。
同様に、「日付修正モード」では、修正対象であるカレンダー車１６の修正量の総数「３１」が連続修正量１６９Ｃに設定される。
【００８０】
一方、一部の表示修正モードについては、連続修正操作を行っても単修正モードと同じ修正量で修正され、結果的に連続修正が実行されない。
例えば、「タイムゾーン選択モード」では、連続修正量１６９Ｃとして、単一修正量１６９Ｂと同じ「１」が設定されている。
これは、「タイムゾーン選択モード」の修正対象が、指針２１で示されるダイヤルリング４０上のタイムゾーン表示４６（図２参照）であり、その時差情報４５には一部に等間隔でない部分あるいは不連続な部分（「−４」と「−５」の間、「５」と「６」の間など）があることに基づく。
このような連続修正操作の除外は、１）衛星信号を受信することで設定される情報（例えばタイムゾーン情報）、２）修正時の前記表示手段の移動量が一定でない情報（例えば、タイムゾーン情報や、扇形状に配置されて往復する指針で指示される曜日情報）、３）表示手段上での表示が連続的でない情報（タイムゾーン情報で＋１４時間の次が−１２時間）のいずれかであるとき、それぞれ同様に行われる。
【００８１】
［制御装置］
制御装置１５０は、制御手段であり、図５に示すように、電子時計１０を制御するＣＰＵで構成されている。
制御装置１５０は、測時部１５１と、測位部１５２と、自動時刻修正部１５３と、タイムゾーン修正部１５４と、表示修正部１５５と、リューズ段数判定部１５６と、リューズ回転操作判定部１７０と、を備える。
【００８２】
［測時部］
測時部１５１は、受信装置１２２を作動して測時モードでの受信処理を行う。
測時モードでの受信処理では、測時部１５１は、受信装置１２２で少なくとも１つのＧＰＳ衛星８を捕捉し、そのＧＰＳ衛星８から送信される衛星信号を受信して時刻情報を取得する。
測時部１５１は、本実施形態では、自動受信処理と手動受信処理とにおいて測時モードでの受信処理を実行する。
【００８３】
自動受信処理は、定時自動受信処理と、光自動受信処理の２種類がある。すなわち、測時部１５１は、計時している内部時刻データ１６４が、定時受信時刻記憶部１６８に記憶された定時受信時刻になった場合に、受信装置１２２を作動して測時モードでの定時自動受信処理を行う。
また、測時部１５１は、ソーラーパネル１３５の発電電圧または発電電流が設定値以上となり、屋外においてソーラーパネル１３５に日光が照射していると判断できる場合に、受信装置１２２を作動して測時モードでの光自動受信処理を行う。なお、ソーラーパネル１３５の発電状態で受信装置１２２を作動する処理の回数は、１日に１回などに制約してもよい。
手動受信処理は、前述の通り、ユーザーが入力装置６９のＢボタン６２を第１設定時間押して強制受信操作を行うことで実行され、測時部１５１は、受信装置１２２を作動させて測時モードでの手動受信処理を行う。
【００８４】
［測位部］
測位部１５２は、前述の通り、ユーザーが入力装置６９のＢボタン６２を第２設定時間押して強制受信操作を行った場合に、受信装置１２２を作動させて測位モードでの受信処理を行う。
なお、予め測時モード、測位モード、閏秒受信モードを選択して設定しておき、前記自動受信処理（定時自動受信処理や光自動受信処理）時には設定したモードで受信処理を行ってもよい。
【００８５】
測位部１５２は、測位モードでの受信処理を開始すると、受信装置１２２で少なくとも３個、好ましくは４個以上のＧＰＳ衛星８を捕捉し、各ＧＰＳ衛星８から送信される衛星信号を受信して位置情報を算出して取得する。また、測位部１５２は、衛星信号を受信した際に時刻情報も同時に取得できる。
【００８６】
［自動時刻修正部］
自動時刻修正部１５３は、測時部１５１や測位部１５２の受信処理で時刻情報の取得に成功した場合、取得した時刻情報で受信時刻データ１６２を修正する。受信時刻データ１６２の修正により、内部時刻データ１６４および時計表示用時刻データ１６５も修正される。時計表示用時刻データ１６５が修正されると、針位置検出手段で時計表示用時刻データ１６５と同期している表示装置２０における現在時刻表示も修正される。
【００８７】
［タイムゾーン修正部］
タイムゾーン修正部１５４は、測位部１５２で位置情報を算出して取得に成功した場合、取得した位置情報（緯度、経度）に基づいてタイムゾーンデータを設定する。具体的には、タイムゾーンデータ記憶部１６７から位置情報に対応するタイムゾーンデータ（タイムゾーン情報つまり時差情報）を選択して取得し、タイムゾーンデータ１６６に記憶する。
例えば、日本標準時（ＪＳＴ）は、ＵＴＣに対して９時間進めた時刻（ＵＴＣ＋９）であるため、測位部１５２で取得した位置情報が日本である場合には、タイムゾーン修正部１５４は、タイムゾーンデータ記憶部１６７から日本標準時の時差情報（＋９時間）を読み出してタイムゾーンデータ１６６に記憶する。
【００８８】
タイムゾーン修正部１５４は、タイムゾーン情報を設定した後、前記時計表示用時刻データ１６５を、前記タイムゾーンデータを用いて修正する。このため、時計表示用時刻データ１６５は、ＵＴＣである内部時刻データ１６４にタイムゾーンデータを加算した時刻となる。
【００８９】
［表示修正部］
表示修正部１５５は、ユーザーによるリューズ５０の操作に応じて、通常動作とは別に駆動機構１４０を駆動させ、表示装置２０の表示の修正（後述する図８のステップＳ８５〜Ｓ８８、以下ステップを「Ｓ」と略す）を行うものである。
例えば、記憶装置１６０に記憶された時計表示用時刻データ１６５の時刻と、表示装置２０における指針２２，２３の表示時刻とが、何らかの理由でずれた場合などに、リューズ５０の操作に応じて駆動機構１４０の時分針モーター１４２を駆動させ、指針２２，２３を基準位置（０時０分位置）に合わせる。そして、リューズ５０を０段に押し込んで基準位置合わせモードを解除すると、時計表示用時刻データ１６５の時刻を指示する位置まで指針２２，２３が自動的に修正される。
【００９０】
表示の修正にあたって、表示修正部１５５は、表示修正の操作モードとして、リューズ５０の操作で、表示装置２０の指針等のうちの何れかの修正対象の表示位置を、一単位ずつ変化させる「単修正モード」と、表示位置を連続的に変化させておき、リューズ５０の操作で任意の表示位置に停止させる「連続修正モード」とを有する。
「単修正モード」では、表示修正部１５５は、駆動機構１４０に対して単修正信号を出力して表示装置２０を単一修正量（一単位）で修正する。
「連続修正モード」では、表示修正部１５５は、駆動機構１４０に対して連続修正信号を出力して表示装置２０を連続修正量で修正する。
【００９１】
このような表示修正操作を行うために、制御装置１５０では、リューズ段数判定部１５６およびリューズ回転操作判定部１７０により、リューズ５０に対するユーザーの操作を検出する（後述する図８のＳ８１〜Ｓ９０）。
なお、制御装置１５０（表示修正部１５５、リューズ段数判定部１５６およびリューズ回転操作判定部１７０）においては、信号判定モードとして「初期モード」、「早回し判定モード」、および「早回し停止判定モード」のいずれかが設定される。
【００９２】
「初期モード」は、リューズ５０の回転操作が検出されていない場合に実行されるモードである。「初期モード」でリューズ５０の１回目の回転操作が検出されると、「早回し判定モード」に移行する。
「早回し判定モード」は、リューズ５０の連続回転操作が行われたかを検出するモードである。「早回し判定モード」でリューズ５０の連続回転操作、つまり所定時間内に同方向の複数回の連続する回転操作が検出されると、表示修正の操作モードには「連続修正モード」が設定される。また、信号判定モードは、連続修正中の停止操作が行われたかを検出するため、「早回し停止判定モード」に移行する。
【００９３】
一方、「早回し判定モード」で所定時間内に同方向の複数回の連続する回転操作が検出されなかった場合、つまり１回の回転操作が検出された場合、表示修正の操作モードには「単修正モード」が設定される。また、信号判定モードは「初期モード」に移行する。
したがって、表示修正操作である「連続修正モード」および「単修正モード」は、表示装置２０の何れかの修正対象に対する「早回し判定モード」および「早回し停止判定モード」の実行中に実施される。これらの具体的な動作は後述する。
【００９４】
［リューズ段数判定部］
リューズ段数判定部１５６は、回転検出部５９における第三スイッチ５５Ａまたは第四スイッチ５５Ｂからの引出検出信号に基づいて、リューズ５０が引き出されたか否かを判定する。
リューズ５０が引き出されていない状態では、第三スイッチ５５Ａおよび第四スイッチ５５Ｂの双方がオフ状態となる。この場合では、リューズ段数判定部１５６は、リューズ５０が引き出されていない（引出段数が「０」である）と判定する。
【００９５】
リューズ５０が１段引き出されると、第三スイッチ５５Ａがオン状態、第四スイッチ５５Ｂがオフ状態となり、第三スイッチ５５Ａから制御装置１５０に引出検出信号が入力される。この場合、リューズ段数判定部１５６は、リューズ５０の引出段数が「１」であると判定する。
リューズ５０が２段引き出されると、第三スイッチ５５Ａがオフ状態、第四スイッチ５５Ｂがオン状態となり、第四スイッチ５５Ｂから制御装置１５０に引出検出信号が入力される。この場合、リューズ段数判定部１５６は、リューズ５０の引出段数が「２」であると判定する。
【００９６】
［リューズ回転操作判定部］
リューズ回転操作判定部１７０は、早回し判定タイマー１７１、連続修正カウンター１７２、信号判定部１７３を備えている。
信号判定部１７３は、制御装置１５０における現在の信号判定モードが「初期モード」、「早回し判定モード」、「早回し停止判定モード」のいずれかであるかを判定する。
【００９７】
早回し判定タイマー１７１は、予め設定された初期値からカウント値０になるまで、時間経過に応じたカウントダウンを行うものである。
早回し判定タイマー１７１は、信号判定モードが「初期モード」のとき、回転検出部５９から制御装置１５０に、１回目の検出信号（第一検出信号）が入力された時点で、カウントダウンがスタートする（後述する図１０参照）。
早回し判定タイマー１７１の初期値は、予め設定された早回し判定用時間（例えば１６０ｍｓ）に設定される。
【００９８】
早回し判定タイマー１７１のカウントダウンがカウント値０になるまでの間に、回転検出部５９から２回目の検出信号（第二検出信号）が制御装置１５０に入力されて同方向に連続する２回の回転操作が検出された場合、リューズ５０の連続回転操作（早回し操作）が行われたことが判定される。このため、早回し判定タイマー１７１はカウントダウンをストップさせる（後述する図１１のＳ１１９）。この時、早回し判定タイマー１７１は、カウンター値をリセットする（初期値の１６０ｍｓに戻す）。
一方、第一検出信号の検出から、第二検出信号が検出されないまま、早回し判定用時間が経過する（カウンター値が０になる）と、リューズ５０の１回の操作（単回し操作）が行われたことが判定されたので、早回し判定タイマー１７１は、カウントをストップさせ、カウンター値をリセットする（初期値の１６０ｍｓに戻す）。
【００９９】
連続修正カウンター１７２は、連続修正モードにおける修正量を設定するものであり、予め設定された初期値からカウント値０になるまで、表示修正部１５５による表示修正（後述する図８のＳ８５〜Ｓ８８）が行われる毎に、カウントダウンを行うものである（後述する図８のＳ８９参照）。
連続修正カウンター１７２は、信号判定モードが「早回し判定モード」のとき、回転検出部５９から制御装置１５０に、２回目の検出信号（第二検出信号）が入力されて同方向に連続する２回の回転操作が検出された時点で、初期値として修正対象の情報の種類に応じた連続修正量が設定される（後述する図１１参照）。
連続修正カウンター１７２の初期値は、図７の連続修正量１６９Ｃを参照して設定される。
【０１００】
［制御装置の基本動作］
電子時計１０では、ユーザーによる入力装置６９（リューズ５０および各ボタン６１〜６４）の手動操作があると、制御装置１５０により操作に応じた処理が実行される。
例えば、リューズ５０が操作されると、その操作に応じて表示時刻を修正する手動修正処理が実行される。また、Ｂボタン６２が第１設定時間押されると、測時モードでの手動受信処理が実行され、Ｂボタン６２が第２設定時間押されると、測位モードでの手動受信処理が実行される。
【０１０１】
［表示修正操作］
図８のフローチャートに基づき、ユーザーがリューズ５０を１段目または２段目まで引き出す操作を行うことで実行される表示装置２０の表示修正処理について説明する。
図８において、制御装置１５０の表示修正部１５５は、リューズ段数判定部１５６の出力を監視し、リューズ５０の引出段数が「１」または「２」でなければ（引出段数が「０」であれば）監視を継続する（Ｓ８１）。一方、リューズ５０の引出段数が「１」または「２」になったら（Ｓ８１でＹｅｓ）、Ｓ８２以降の表示修正処理を開始する。
【０１０２】
図８において、リューズ５０が１段目または２段目に引き出されると、リューズ段数判定部１５６で段数の変化が検出され、Ｓ８１でＹｅｓと判定される。このため、制御装置１５０は、信号判定モードを「初期モード」に設定し（Ｓ８２）、駆動機構１４０に対して指針駆動停止を指示する（Ｓ８３）。
制御装置１５０は、リューズ５０が０段目に戻されているかを確認し（Ｓ８４）、０段目に戻されていれば（Ｓ８４でＹｅｓ）、駆動機構１４０による通常運針を再開する（Ｓ８０）。一方、０段目に戻されていなければ、制御装置１５０は、リューズ回転操作判定部１７０により、リューズ５０の回転操作判定処理を実行する（Ｓ９０）。
【０１０３】
［リューズ回転操作判定処理］
リューズ回転操作判定部１７０により実行されるリューズ回転操作判定処理Ｓ９０は、図９に示すように、現在の信号判定モードに応じて、各モードに応じた処理に分岐される。
現在の信号判定モードが「初期モード」であれば（Ｓ９１でＹｅｓ）、初期モード信号判定処理Ｓ１００（図１０参照）が実行される。
現在の信号判定モードが「早回し判定モード」であれば（Ｓ９２でＹｅｓ）、早回し判定モード信号判定処理Ｓ１１０（図１１参照）が実行される。
現在の信号判定モードがそれ以外、つまり「早回し停止判定モード」であれば（Ｓ９１およびＳ９２でＮｏ）、早回し停止判定モード信号判定処理Ｓ１２０（図１２参照）が実行される。
【０１０４】
［初期モード信号判定処理］
初期モード信号判定処理Ｓ１００では、図１０に示すように、制御装置１５０は、先ず、第一スイッチ５６Ａが「ＯＮ」であるかを判定する（Ｓ１０１）。
第一スイッチ５６Ａが「ＯＮ」であれば（Ｓ１０１でＹｅｓ）、リューズ５０の回転操作があり（第一検出信号）、かつ回転方向が「右」と判定される（Ｓ１０２）。
【０１０５】
一方、Ｓ１０１でＮｏと判定された場合は、制御装置１５０は、第二スイッチ５６Ｂが「ＯＮ」であるかを判定する（Ｓ１０５）。第二スイッチ５６Ｂが「ＯＮ」であれば（Ｓ１０５でＹｅｓ）、リューズ５０の回転操作があり、かつ回転方向が「左」と判定される（Ｓ１０６）。
なお、本実施形態では、リューズを右方向に回転したときに、指針等の表示装置２０を正転方向に修正し、左方向に回転したときには逆転方向に修正するように設定されている。
【０１０６】
そして、Ｓ１０２，１０６の処理後、信号判定モードが「早回し判定モード」に設定され（Ｓ１０３）、早回し判定タイマー１７１がスタートされる（Ｓ１０４）。
なお、Ｓ１０５でＮｏの場合は、いずれのスイッチ５６Ａ，５６Ｂも入力されていないので、初期モード信号判定処理Ｓ１００を終了し、図９の処理に戻る。すると、図９のリューズ回転操作判定処理Ｓ９０も終了するので、図８の処理に戻る。
【０１０７】
［修正指令の判定処理］
図８において、リューズ回転操作判定処理Ｓ９０から戻ると、制御装置１５０は、単修正指令又は連続修正指令があるかを判定する（Ｓ８５）。ここでは、リューズ回転操作判定処理Ｓ９０から初期モード信号判定処理Ｓ１００を経て、いずれのスイッチ５６Ａ，５６Ｂの入力もない「初期モード」のままか、あるいはいずれかのスイッチ５６Ａ，５６Ｂの１回の入力を検出して「早回し判定モード」に変更されているだけであり、単修正指令および連続修正指令のいずれもないため、Ｓ８５でＮｏと判定される。
このため、後述するＳ８６〜Ｓ８９は実行せずに、Ｓ８４（リューズ５０が０段目に戻されているかの確認）からの処理を繰り返す。
【０１０８】
そして、再度、リューズ回転操作判定処理Ｓ９０を実行した際には、前回の初期モード信号判定処理Ｓ１００（図１０参照）で「早回し判定モード」が設定されていると、Ｓ９１でＮｏと判定され、Ｓ９２でＹｅｓと判定されるので、早回し判定モード信号判定処理Ｓ１１０（図１１参照）が実行される。
【０１０９】
［早回し判定モード信号判定処理（単修正操作の場合）］
早回し判定モード信号判定処理Ｓ１１０では、図１１に示すように、先ず、初期モード信号判定処理Ｓ１００のＳ１０４でスタートしている早回し判定タイマー１７１が、タイムアウトしているか判定する（Ｓ１１１）。
早回し判定タイマー１７１がタイムアウトしていれば（Ｓ１１１でＹｅｓ）、前述したＳ１０１，Ｓ１０５と同様にして第一スイッチ５６Ａおよび第二スイッチ５６Ｂからリューズ５０の回転方向を判定し（Ｓ１１２）、回転方向が「右」であれば（Ｓ１１２でＹｅｓ）「正転方向・単修正指令」を設定し（Ｓ１１３）、回転方向が「左」であれば（Ｓ１１２でＮｏ）「逆転方向・単修正指令」を設定する（Ｓ１１４）。
そして、信号判定モードを「初期モード」に戻し（Ｓ１１５）、判定モード信号判定処理Ｓ１１０を終了し、図９の処理に戻る。すると、図９のリューズ回転操作判定処理Ｓ９０も終了するので、図８のＳ８５に戻る。
【０１１０】
［修正指令の判定処理（単修正操作の場合）］
図８において、制御装置１５０は、単修正指令又は連続修正指令があるかを判定する（Ｓ８５）。ここでは、早回し判定モード信号判定処理Ｓ１１０により、「正転方向・単修正指令」または「逆転方向・単修正指令」が設定されているので、Ｓ８５でＹｅｓと判定される。
続いて、正転か逆転かの判定（Ｓ８６）を行い、正転の場合（Ｓ８６でＹｅｓ）、修正対象の指針等の表示装置２０を駆動するモーターに正転用の単修正信号を出力して指針等を次の表示位置に移動する（Ｓ８７）。また。逆転の場合（Ｓ８６でＮｏ）、修正対象の指針等の表示装置２０を駆動するモーターに逆転用の単修正信号を出力して指針等を前の表示位置に移動する（Ｓ８８）。この際、単修正信号の修正量は単一修正量であるため、指針等の表示装置２０を次の目盛に移動する修正が行われる。
【０１１１】
この後、連続修正カウンター１７２を「−１」する（Ｓ８９）。連続修正カウンター１７２は、連続修正操作時の制御に用いられるので、単修正操作時は直接関係ない。その後、Ｓ８４からの処理を繰り返す。
【０１１２】
［早回し判定モード信号判定処理（連続修正操作の場合）］
図１１に戻って、早回し判定タイマー１７１が、タイムアウトしていない場合は、制御装置１５０は第一スイッチ５６ＡがＯＮであるかを判定する（Ｓ１１６）。
【０１１３】
［右方向の連続修正操作の場合］
第一スイッチ５６Ａが「ＯＮ」であれば、リューズ５０の追加操作があったことになり（第二検出信号）、その操作の回転方向は「右」と判定される。
ここで、制御装置１５０は、第一検出信号の回転方向（Ｓ１０２またはＳ１０６）を調べ、第一検出信号の回転方向が「右」であるかを判定する（Ｓ１１７）。
第一検出信号の回転方向が「右」でなかった場合（Ｓ１１７でＮｏ）、前回と今回とでリューズ５０の回転方向が異なることになるため、前回のリューズ５０の回転操作をキャンセルし、今回の回転操作で第一検出信号がＯＮされた状態として、初期モード信号判定処理Ｓ１００（図１０参照）のＳ１０２に戻り、改めて早回し判定モード信号判定処理Ｓ１１０を行う。
【０１１４】
第一検出信号の回転方向が「右」であった場合、リューズ５０の右方向の回転操作が連続して２回入力されたことになるので、制御装置１５０は、「正転方向・連続修正指令」を設定し（Ｓ１１８）、早回し判定タイマー１７１をストップする（Ｓ１１９）。そして、連続修正カウンター１７２に現在の修正対象に応じた連続修正量を設定する（Ｓ１１Ａ）。
【０１１５】
具体的には、表示修正部１５５は、記憶装置１６０に記憶された表示修正データ記憶部１６９（図７参照）の表示修正モード１６９Ａから現在の修正対象を選択し、そのモードに対応する連続修正量１６９Ｃを読み出して、連続修正カウンター１７２に設定する。例えば、表示修正モード１６９Ａがタイムゾーン選択モードであれば、連続修正量「１」を連続修正カウンター１７２に設定する。また、１／５秒クロノグラフ針修正モードであれば、連続修正量「３００」を連続修正カウンター１７２に設定する。
次に、制御装置１５０は、信号判定モードを「早回し停止判定モード」に設定し（Ｓ１１Ｂ）、早回し判定モード信号判定処理Ｓ１１０を終了する。
【０１１６】
［左方向の連続修正操作の場合］
一方、Ｓ１１６でＮｏと判定された場合、第二スイッチ５６ＢがＯＮであるか判定する（Ｓ１１Ｃ）。
第二スイッチ５６Ｂが「ＯＮ」であれば、制御装置１５０は、リューズ５０にユーザーの追加操作があり（第二検出信号）、その操作の回転方向は「左」と判定する。
ここで、制御装置１５０は、第一検出信号の回転方向（Ｓ１０２またはＳ１０６）を調べ、第一検出信号の回転方向が「左」であるかを判定する（Ｓ１１Ｄ）。
第一検出信号の回転方向が「左」でなかった場合（Ｓ１１ＤでＮｏ）、前回と今回とでリューズ５０の回転方向が異なることになるため、前回のリューズ５０の回転操作をキャンセルし、今回の回転操作で第二検出信号がＯＮされた状態として、初期モード信号判定処理Ｓ１００（図１０参照）のＳ１０６に戻り、改めて早回し判定モード信号判定処理Ｓ１１０を行う。
【０１１７】
第一検出信号の回転方向が「左」であった場合、リューズ５０の左方向の回転操作が連続して２回入力されたことになるので、制御装置１５０は、「逆転方向・連続修正指令」を設定し（Ｓ１１Ｅ）、早回し判定タイマー１７１をストップする（Ｓ１１９）。そして、前記リューズ５０の右方向の回転操作が連続して２回入力された場合と同じく、連続修正カウンター１７２に現在の修正対象に応じた連続修正量を設定し（Ｓ１１Ａ）、信号判定モードを「早回し停止判定モード」に設定し（Ｓ１１Ｂ）、早回し判定モード信号判定処理Ｓ１１０を終了する。
【０１１８】
判定モード信号判定処理Ｓ１１０を終了すると、図９に戻り、初期モード信号判定処理Ｓ１００も終了するため、図８のＳ８５に戻る。このため、Ｓ８５で連続修正操作ありと判定され（Ｓ８５でＹｅｓ）、Ｓ８６〜Ｓ８８により正逆何れかの方向へ表示対象が駆動され、Ｓ８９で連続修正カウンター１７２が「−１」減算され、Ｓ８４からの処理の繰り返しが継続される。
【０１１９】
このＳ８４からの処理の繰り返しによって、表示装置２０は単一修正量ごと連続して修正される。そして、早回し判定モード信号判定処理Ｓ１１０（図１１参照）で「早回し停止判定モード」が設定されていると、連続修正中のリューズ回転操作判定処理Ｓ９０（図９参照）では、Ｓ９１，Ｓ９２でともにＮｏと判定されるので、早回し停止判定モード信号判定処理Ｓ１２０（図１２参照）が実行される。
【０１２０】
［停止判定モード信号判定処理］
図１２において、リューズ回転操作判定部１７０は、先ず、第一スイッチ５６Ａまたは第二スイッチ５６ＢがＯＮされているか、つまりリューズ５０の回転操作が検出されたかを判定する（Ｓ１２１）。回転操作がない場合（Ｓ１２１でＮｏ）、連続修正カウンター１７２（Ｓ１１Ａでスタートしている）が、「０」になっていないかを判定する（Ｓ１２２）。
【０１２１】
連続修正カウンター１７２が「０」になっていなければ（Ｓ１２２でＮｏ）、早回し停止判定モード信号判定処理Ｓ１２０を終了し、図８の処理に戻る。制御装置１５０は、修正対象を駆動する処理（Ｓ８６〜Ｓ８８）および連続修正カウンター１７２を「−１」する処理（Ｓ８９）を繰り返す。
【０１２２】
［連続修正完了動作］
連続修正カウンター１７２が「０」になっていたら（Ｓ１２２でＹｅｓ）、制御装置１５０は指針停止指令を出し（Ｓ１２３）、信号判定モードを「初期モード」に戻し、早回し停止判定モード信号判定処理Ｓ１２０を終了し、図８の処理に戻る。
制御装置１５０は、初期モードに戻っているため、Ｓ８６〜Ｓ８８および連続修正カウンター１７２を「−１」するＳ８９を行わない。
【０１２３】
これにより、連続修正カウンター１７２により、連続修正動作が終了する。このように連続修正カウンター１７２が０になるまで、つまり図７の連続修正量１６９Ｃで設定した分の修正が行われた場合の表示装置２０の状態は以下の通りである。
すなわち、修正対象の表示情報が、１／５秒クロノグラフ針である指針２１、分クロノグラフ針である指針７１、時クロノグラフ針である指針９１、秒針である指針８１、時分針である指針２２，２３、カレンダー車１６の場合は、連続修正量が修正量の総数に設定されているので、それぞれ１周して元の位置に戻るまで連続修正が行われる。
一方、タイムゾーン選択モードの場合、指針２１の連続修正量は単一修正量と同じ「１」であるため、連続修正カウンター１７２が０になった時でも指針２１は１ステップ分、つまり次のタイムゾーンを指示する位置までしか移動しない。
【０１２４】
［連続修正停止処理］
一方、連続修正中にリューズ５０に対する操作があった場合、Ｓ１２１でＹｅｓと判定され、制御装置１５０は、指針停止指令を出し（Ｓ１２３）、信号判定モードを「初期モード」に戻し、早回し停止判定モード信号判定処理Ｓ１２０を終了し、図８の処理に戻る。制御装置１５０は、初期モードに戻っているため、Ｓ８６〜Ｓ８８の処理および連続修正カウンター１７２を「−１」する処理（Ｓ８９）を行わない。
これにより、リューズ５０の操作による連続修正動作が中断される。
【０１２５】
［表示修正操作の具体例］
本実施形態において、前述した図８から図１２の処理手順によって行われる表示修正操作は、前述した図７の表示修正モード１６９Ａにある各項目の表示修正モードで実行される。以下、その具体的な操作例を電子時計１０の模式図を用いて説明する。
【０１２６】
［タイムゾーン選択モード］
図１３（Ａ）において、本実施形態の電子時計１０は、表示装置２０として指針２１，２２，２３，７１，８１，９１およびカレンダー車１６を有し、入力装置６９としてリューズ５０およびＡボタン６１、Ｂボタン６２、Ｃボタン６３、Ｄボタン６４を有する。
タイムゾーンは、指針２１でタイムゾーン表示４６の該当部分を指すことで行われている。従って、タイムゾーン選択モードでは指針２１の表示位置を変更する。
【０１２７】
先ず、図１３（Ａ）の状態でリューズ５０を１段引く。これにより制御装置１５０は「タイムゾーン選択モード」となる。図７の表示修正データにおいては、表示修正モード１６９Ａで「タイムゾーン選択モード」が選択され、単一修正量１６９Ｂが「１」、連続修正量１６９Ｃが「１」と設定される。
【０１２８】
この状態で、リューズ５０を右（図１３（Ｂ）の矢印方向）に１回（１クリック分）操作すると、制御装置１５０が図８から図１２のフローに基づいて正転方向の単修正モードの修正処理を実行する。
これにより、図１３（Ｂ）に示すように、指針２１が正転方向に修正量「１」だけ移動し、＋方向の次のタイムゾーンを指示する。
指針２１が正転方向に単修正操作され、タイムゾーンが変更されると、制御装置１５０は、現在の表示時刻を選択したタイムゾーンに応じて変更する。
これにより、図１３（Ｃ）のように、現在時刻を表示する指針２２，２３，８１が、新たに選択したタイムゾーンに応じた現在時刻に移動される。
【０１２９】
一方、リューズ５０を右に２回以上（２クリック以上）操作すると、制御装置１５０が図８から図１２のフローに基づいて正転方向の連続修正モードの修正処理を実行する。
ただし、「タイムゾーン選択モード」では連続修正量が「１」であり、連続修正カウンター１７２はただちに「０」になるため、早回しモードにはならず、単修正操作と同じ動作となる。また、連続修正カウンター１７２が「０」になると「初期モード」に戻るため、それまでに複数回の操作が入力されていても、指針２１は修正量「１」だけ移動する。
その結果、図１４（Ａ）に示すように、指針２１は＋方向の次のタイムゾーンを指示し、図１４（Ｂ）に示すように、現在時刻を表示する指針７１，２２，２３が、新たに選択したタイムゾーンに応じた現在時刻に移動される。
【０１３０】
所期のタイムゾーンが選択されたら、リューズ５０を通常位置（０段）に戻す。
これにより、タイムゾーン選択モードが解除され、図１４（Ｃ）のように、新たに選択したタイムゾーンでの現在時刻を表示した状態で、指針８１，２２，２３の通常運針が再開される。
【０１３１】
［クロノグラフ針の基準位置合わせモード］
図１５（Ａ）において、クロノグラフ機能は、表示装置２０のうち、指針２１を１／５秒クロノグラフ針、指針７１をクロノグラフ分針、指針９１をクロノグラフ時針として表示される。
先ず、図１５（Ｂ）のように、リューズ５０を２段引き、さらにＣボタン６３を３秒以上押し続ける。これにより制御装置１５０は「１／５秒クロノグラフ針モード」となる。
図７の表示修正データにおいては、表示修正モード１６９Ａで「１／５秒クロノグラフ針モード」が選択され、単一修正量１６９Ｂが「１」、連続修正量１６９Ｃが「３００」と設定される。
【０１３２】
この状態で、図１６（Ａ）のように、リューズ５０を右に１回（１クリック分）操作すると、制御装置１５０が図８から図１２のフローに基づいて正転方向の単修正モードの修正処理を実行する。これにより、指針２１が正転方向に修正量「１」だけ移動する。具体的には、１／５秒の目盛分だけ移動する。
一方、図１６（Ｂ）のように、指針２１が基準位置から大きくずれている場合などで、リューズ５０を右に２回以上（２クリック以上）操作すると、制御装置１５０が図８から図１３のフローに基づいて、正転方向の連続修正モードの修正処理を実行する。この場合、指針２１が正転方向に早送りされ、修正量の総数「３００」つまり一回転するまで移動する。その移動の間に、リューズ５０の回転操作を行えば、指針２１の早送りが停止される。この停止位置から、さらに単修正操作を行うことで、所定の基準位置（０秒位置）に指針２１を移動できる。
【０１３３】
指針２１が基準位置に移動したら、図１６（Ｃ）のように、Ｃボタン６３を押す。これにより、制御装置１５０は「分クロノグラフ針修正モード」に移行する。
図７の表示修正データにおいては、表示修正モード１６９Ａで「分クロノグラフ針モード」が選択され、単一修正量１６９Ｂが「１」、連続修正量１６９Ｃが「６０」と設定される。
【０１３４】
この状態で、図１７（Ａ）のように、リューズ５０を右に１回（１クリック分）操作すると、制御装置１５０が図８から図１２のフローに基づいて正転方向の単修正モードの修正処理を実行する。これにより、指針８１が正転方向に修正量「１」だけ移動する。具体的には、１分の目盛分だけ移動する。
【０１３５】
一方、図１７（Ｂ）のように、指針７１が基準位置から大きくずれている場合などで、リューズ５０を右に２回以上（２クリック以上）操作すると、制御装置１５０が図８から図１３のフローに基づいて、正転方向の連続修正モードの修正処理を実行する。この場合、指針７１が正転方向に早送りされ、修正量の総数「６０」つまり一回転するまで移動する。その移動の間に、リューズ５０の回転操作を行えば、指針７１の早送りが停止される。この停止位置から、さらに単修正操作を行うことで、所期の基準位置（０分位置）に指針７１を移動できる。
【０１３６】
指針８１が基準位置に移動したら、図１７（Ｃ）のように、Ｃボタン６３を押す。これにより、制御装置１５０は「時クロノグラフ針修正モード」に移行する。
図７の表示修正データにおいては、表示修正モード１６９Ａで「時クロノグラフ針モード」が選択され、単一修正量１６９Ｂが「１」、連続修正量１６９Ｃが「６０」と設定される。
【０１３７】
この状態で、図１８（Ａ）のように、リューズ５０を右に１回（１クリック分）操作すると、制御装置１５０が図８から図１２のフローに基づいて正転方向の単修正モードの修正処理を実行する。これにより、指針９１が正転方向に修正量「１」だけ移動する。具体的には、０．２時間分だけ移動する。
【０１３８】
一方、図１８（Ｂ）のように、指針９１が基準位置から大きくずれている場合などで、リューズ５０を右に２回以上（２クリック以上）操作すると、制御装置１５０が図８から図１３のフローに基づいて、正転方向の連続修正モードの修正処理を実行する。この場合、指針９１が正転方向に早送りされ、修正量の総数「６０」つまり一回転するまで移動する。その移動の間に、リューズ５０の回転操作を行えば、指針９１の早送りが停止される。この停止位置から、さらに単修正操作を行うことで、所期の基準位置（０時位置）に指針９１を移動できる。
【０１３９】
以上により、指針２１，７１，９１をそれぞれ基準位置に修正できたら、図１８（Ｃ）のように、リューズ５０を通常位置（０段）に戻す。
これにより、クロノグラフ針の基準位置合わせモードが解除され、現在時刻を示す指針２２，２３，８１の通常運針が再開される。
【０１４０】
［日付修正モード］
図１９（Ａ）において、電子時計１０の日付表示機能は、表示装置２０のうち、カレンダー車１６により表示される。
先ず、図１９（Ｂ）のように、リューズ５０を１段引き、さらにＣボタン６３を３秒以上押し続けるなどの日付修正モードの選択操作を行うと、制御装置１５０は「日付修正モード」となる。
図７の表示修正データにおいては、表示修正モード１６９Ａで「日付修正モード」が選択され、単一修正量１６９Ｂが「１」、連続修正量１６９Ｃが「３１」と設定される。
【０１４１】
この状態で、図２０（Ａ）のように、リューズ５０を右に１回（１クリック分）操作すると、制御装置１５０が図８から図１２のフローに基づいて正転方向の単修正モードの修正処理を実行する。これにより、カレンダー車１６が正転方向に修正量「１」だけ移動する。具体的には、一日分だけ移動する。
【０１４２】
一方、図２０（Ｂ）のように、リューズ５０を右に２回以上（２クリック以上）操作すると、制御装置１５０が図８から図１３のフローに基づいて、正転方向の連続修正モードの修正処理を実行する。この場合、カレンダー車１６が正転方向に早送りされ、修正量「３１」つまり一回転するまで移動する。その移動の間に、リューズ５０の回転操作を行えば、カレンダー車１６の早送りが停止される。この停止位置から、さらに単修正操作を行うことで、所期の表示位置にカレンダー車１６を移動できる。
【０１４３】
以上により、カレンダー車１６を所期の表示位置に修正できたら、図２０（Ｃ）のように、リューズ５０を通常位置（０段）に戻す。
これにより、日付修正モードが解除され、現在時刻を示す指針２２，２３，８１の通常運針が再開される。
【０１４４】
なお、本実施形態の単修正操作および連続修正操作の説明では、いずれも正転方向について説明したが、本実施形態では逆転方向についても同様に単修正操作および連続修正操作を行うことができる。この際、修正操作の回転方向は、リューズ５０の回転方向に依存する。
また、分針および時針である指針２２，２３、秒針である指針８１の修正モードは説明を省略するが、概略としては以下のとおりである。リューズ５０を２段位置に引き出すと、修正の待機状態となる。ここで、Ｃボタン６３を３秒以上押し続けると、前述したクロノグラフ機能の指針修正モードに移行する。一方、待機状態でＡボタン６１を押すと、現在時刻の指針修正モードとなり、秒針である指針８１が正転して０秒位置で停止し、時分針である指針２２，２３が正転して次の分の指示位置で停止する。この状態でリューズ５０を操作することで、指針２２，２３を現時刻に修正することができる。この後、時報などに正分のタイミングに合わせて、リューズ５０を押込んで０段位置に戻すことで、各指針が通常運針に戻る。
【０１４５】
［第１実施形態の効果］
このような本実施形態によれば、表示装置２０における表示情報は、操作部材であるリューズ５０の回転操作により修正することができる。この際、リューズ５０の操作により、単修正モードまたは連続修正モードを選択することができる。従って、単修正モードを選択すれば、表示装置２０における表示情報毎の最少修正単位である単一修正量毎に表示装置２０を移動できるので、細かな設定を行うことができる。また、連続修正モードにより、連続修正量を例えば修正量の総数に設定すれば、表示装置２０の早送り修正を行うことができ、迅速な修正操作を行うことができる。
【０１４６】
また、本実施形態では、制御装置１５０は、表示修正データを参照することで、連続修正量１６９Ｃを、表示修正モード１６９Ａに応じて設定することができる。これにより、表示情報の種類に応じて修正量を可変にすることができるので、修正量の総数等に応じてきめ細やかな修正が可能になる。
【０１４７】
特に、タイムゾーン選択モードのように、連続修正量１６９Ｃを修正量の総和に設定すると、誤って連続修正操作を行った場合に、意図しない位置まで指針２１が移動してしまう可能性が高い場合に、連続修正量１６９Ｃを単一修正量１６９Ｂと同一にすることができる。
このように、表示情報の種類に応じて連続修正量１６９Ｃを設定できるようにすることで、ユーザーが意図した位置に表示装置２０を修正しやすい電子時計１０を提供することができる。
【０１４８】
さらに、本実施形態では、単修正モードか連続修正モードかの選択を、リューズ５０の回転操作が所定時間内で複数あったか否かで判定することができる。このため、ユーザーは、表示修正にあたって、リューズ５０の操作を調整するだけで、何れかのモードを簡単に選択することができる。
【０１４９】
また、本実施形態では、タイムゾーン選択モード以外の連続修正量１６９Ｃを、表示装置２０における表示情報ごとの修正量の総数と同じ修正量とした。このため、誤って連続修正操作を行った場合でも、連続修正の動作を途中で停止させる操作を行わないことで、該当する表示装置２０が一巡して元の位置に戻る。例えば、指針２１等であれば、文字板１１上で一周して操作前と同じ位置で停止することになる。
従って、誤って連続修正操作を行った場合でも、ユーザーの意図した修正位置から大きくずれてしまうことがない。従って、続けて単修正モードでの修正操作を行うことで、ユーザーが意図した修正位置に容易に修正することができる。
【０１５０】
さらに、本実施形態では、表示情報として一定間隔で一巡する値とならないタイムゾーンの表示について、連続修正量１６９Ｃを単一修正量１６９Ｂと同じ修正量としたので、誤って連続修正操作を行った場合でも、単一修正量の移動に制限されるので、表示手段が意図した修正位置を行き過ぎることを防止でき、修正操作性を向上できる。
【０１５１】
〔第２実施形態〕
図２１から図２４には、本発明の第２実施形態が示されている。
本実施形態の電子時計１０Ａは、前述した第１実施形態の電子時計１０に対して、クロノグラフ機能がない点、曜日表示がある点で異なる。
ただし、前述した相違に関連する表示装置２０、入力装置６９、制御装置１５０以外の基本的な構成は、前述した第１実施形態の電子時計１０と同様であり、同じ構成には同じ符号を付し、重複する説明は省略する。
【０１５２】
図２２（Ａ）において、本実施形態の電子時計１０Ａは、表示装置２０Ａとして、指針２１，２２，２３，８１およびカレンダー車１６を有する。指針２１，２２，２３は、表示項目である現在時刻の秒、分、時をそれぞれ表示する。指針８１は、本実施形態においては曜日を表示する。カレンダー車１６は日付を表示する。
また、電子時計１０Ａでは、入力装置６９が、操作手段であるリューズ５０と、Ａボタン６１ＡおよびＢボタン６２Ａにより構成されている。
【０１５３】
図２１には、本実施形態における表示修正データが示されている。前述した第１実施形態と同様、表示修正データは、表示修正データ記憶部１６９（図５参照）に記憶される。
表示修正モード１６９Ａに設定された各モードのうち、「タイムゾーン選択モード」、「現在時刻秒修正モード」、「現在時刻時分修正モード」および「日付修正モード」は前述した第１実施形態と同様である。ただし、「日付修正モード」の起動用ボタン操作が「ＡＢボタンを６秒以上」と変更され、これに続いてＡボタンで移行可能な「曜日修正モード」が設定されている。この「曜日修正モード」は、表示装置２０Ａの指針８１による曜日表示を修正するものである。
【０１５４】
日付および曜日の表示修正は、次のような手順で行われる。
図２２（Ｂ）において、リューズ５０を１段引き、さらにＡボタン６１ＡとＢボタン６２Ａとを共に６秒以上押し続ける。これにより電子時計１０Ａの制御装置は「日付修正モード」となる。
図２１の表示修正データにおいては、表示修正モード１６９Ａで「日付修正モード」が選択され、単一修正量１６９Ｂが「１」、連続修正量１６９Ｃが「３１」と設定される。
【０１５５】
この状態で、図２３（Ａ）のように、リューズ５０を「右」に１回（１クリック分）操作すると、電子時計１０Ａは、正転方向の単修正モードの修正処理を実行する。これにより、カレンダー車１６が正転方向に修正量「１」だけ移動する。
【０１５６】
一方、図２３（Ｂ）のように、リューズ５０を「左」に２回以上（２クリック以上）操作すると、電子時計１０Ａは、逆転方向の連続修正モードの修正処理を実行する。この場合、カレンダー車１６が逆転方向に早送りされ、修正量「３１」つまり一回転する位置まで移動する。その移動の間に、リューズ５０の操作を行えば、カレンダー車１６の早送りが停止される。この停止位置から、さらに単修正操作を行うことで、所期の表示位置にカレンダー車１６が移動する。
なお、リューズ５０を右方向に連続修正操作した場合は、カレンダー車１６は正転方向に早送りされ、リューズ５０を左方向に単修正操作した場合は、カレンダー車１６は逆転方向に修正量「１」だけ移動し、１日分だけ戻される。
【０１５７】
以上により、カレンダー車１６が所期の表示位置に修正できたら、図２３（Ｃ）のように、Ａボタン６１Ａを押す。これにより、電子時計１０Ａは「曜日修正モード」に移行する。
図２１の表示修正データにおいては、表示修正モード１６９Ａで「曜日修正モード」が選択され、単一修正量１６９Ｂが「１」、連続修正量１６９Ｃが「１」と設定される。
【０１５８】
ここで、「曜日修正モード」の修正量の総数は通常「７」であり、連続修正量１６９Ｃを「７」としてもよい。しかし、修正量の総数が少ない場合（例えば１０未満）には、連続修正操作を実行しても、きわめて短時間で一巡つまり元の表示位置に戻ってしまい、途中の停止操作が逆に困難である等、連続修正操作のメリットが得にくい。そこで、本実施形態では、「曜日修正モード」の連続修正量１６９Ｃを、単一修正量１６９Ｂと同じ「１」としている。
【０１５９】
この状態で、図２４（Ａ）のように、リューズ５０を「右」に１回（１クリック分）操作すると、電子時計１０Ａは、正転方向の単修正モードの修正処理を実行する。これにより、指針８１が正転方向に修正量「１」だけ移動する。
【０１６０】
一方、図２４（Ｂ）のように、リューズ５０を「左」に２回以上（２クリック以上）操作すると、電子時計１０Ａは、逆転方向の連続修正モードの修正処理を実行する。これにより、指針８１は逆転方向に早送りされるが、連続修正量１６９Ｃは「１」であり、指針８１は修正量「１」だけ逆方向に移動する。したがって、逆方向の単修正操作と同じ動作となる。
なお、リューズ５０を右方向に連続修正操作した場合も、指針８１は正転方向に修正量「１」だけ移動する。リューズ５０を左方向に単修正操作した場合は、指針８１は逆転方向に修正量「１」だけ移動する。
【０１６１】
以上により、カレンダー車１６および指針８１の表示位置が修正できたら、図２４（Ｃ）のように、リューズ５０を通常位置（０段）に戻す。
これにより、現在時刻を示す指針２１，２２，２３の通常運針が再開される。
【０１６２】
このような本実施形態によれば、日付修正モードでは、単修正操作および連続修正操作をユーザーが切り替えて実行させることができ、前述した第１実施形態と同様な効果を得ることができる。
さらに、本実施形態では、「曜日修正モード」の連続修正量１６９Ｃを、単一修正量１６９Ｂと同じ「１」としたため、連続修正操作を実行しても、きわめて短時間で一巡つまり元の表示位置に戻ってしまい、途中の停止操作が逆に困難である等の不都合を回避することができる。
【０１６３】
〔他の実施形態〕
前述した第１実施形態の各修正モード（タイムゾーン選択モード以外）では、連続修正量１６９Ｃ（図７参照）として、各表示項目の修正量の総数（１０以上の数値）を設定し、正転方向（順方向）に一回転あるいは逆転方向（逆方向）に一回転できるようにした。しかし、本発明においては、異なる設定の実施形態とすることもできる。
【０１６４】
例えば、順方向の修正または逆方向の修正のいずれかのみ可能な表示情報については、連続修正量１６９Ｃを単一修正量１６９Ｂと同じとしてもよい。
例えば、第１実施形態で現在時刻の時表示を行う指針２３として太い指針部材を用いる場合、時分針モーター１４２に仕様の制限（時計の動作電圧の制限など）が生じることがあり、指針２２，２３の回転方向が片方向（正転方向のみ）になる場合がある。このような片方向の表示情報の修正操作の際に、連続修正量１６９Ｃが多いと、ユーザーの意図した修正位置を過ぎてしまう可能性がある。
【０１６５】
これに対し、連続修正量１６９Ｃを単一修正量１６９Ｂと同じとしておけば、誤って連続修正操作を行った場合でも、単修正操作と同じ修正量であるため、ユーザーの意図した修正位置から大きくずれてしまうことがなく、誤操作の回復を容易にできる。
なお、表示情報が正転方向のみに修正できる情報である場合に、リューズ５０を逆転方向に回転した場合は、その回転操作を無効として修正対象の表示装置２０を移動させなければよい。
【０１６６】
前述した第２実施形態では、曜日修正モードにおいて、表示情報の修正量の総数「７」が、予め設定された基準値以下（例えば１０未満）のとき、連続修正量１６９Ｃを単一修正量１６９Ｂと同じとした。
これに対し、修正量の総数ではなく、表示情報が修正により一巡する所要時間を考慮し、この所要時間が予め設定した設定時間以下（一巡する時間未満）のとき、同様な処理を行うようにしてもよい。
【０１６７】
このような実施形態でも、連続修正操作を実行しても、きわめて短時間で一巡つまり元の表示位置に戻ってしまい、途中の停止操作が逆に困難である等の不都合を回避することができる。
このような表示情報が修正により一巡する所要時間の一例を図２５に示す。
【０１６８】
図２５において、ステップ数は、各修正対象の修正量の総数を示す。
ここで、各修正対象の指針や日車が一周するのにかかる時間を見ると、「＊」印をつけた項目、つまり「秒針」（第１実施形態の指針８１）、「クロノグラフ秒針」（同指針２１）、「クロノグラフ分針」（同指針７１）、「クロノグラフ時針」（同指針９１）の正転時が、４秒以下となっている。このうち、「クロノグラフ秒針」（同指針２１）以外は、さらに２秒以下となっている。
【０１６９】
従って、このような短時間で一周してしまう表示情報に関しては、連続修正操作での途中での停止も困難であり、連続修正量を第１実施形態のように修正量の総数とするのではなく、図２５の他の実施形態の列に記載したように、単一修正量と同じ「１」としてもよい。
ただし、「クロノグラフ秒針」は、一周するのにかかる時間も３秒以上であるとともに、ステップ数も「３００」と多く、単修正操作だけで一周するのは操作上の負担が大きい。このため、「秒針」、「クロノグラフ分針」、「クロノグラフ時針」の連続修正量を単一修正量と同じ「１」とし、「クロノグラフ秒針」の連続修正量は第１実施形態と同様に「３００」とする、としてもよい。
このように、連続修正量の設定にあたっては、指針等の表示項目毎の前提条件（駆動周波数やステップ数など）を考慮し、ユーザー側の操作感を勘案しつつ、適切に設定することが望ましい。
【０１７０】
その他、本発明は前述した各実施形態に限定されるものではなく、本発明の目的を達成できる範囲での変形などは、本発明に含まれるものである。
連続修正操作としては、前記実施形態に限らず、リューズ５０の特定の回転操作や、リューズ５０の回転操作にボタン操作を加える操作を、連続修正操作としてもよい。例えば、リューズ５０を正回転、逆回転、正回転に所定時間内に行った場合に連続修正操作としてもよい。
また、連続修正量は、表示情報の修正量の総数、または、単一修正量と同じ数に限らず、例えば、修正量の総数の半分の数等に設定してもよい。
さらに、駆動機構が一方向の修正のみが可能な場合に、連続修正量を表示情報の修正量の総数や、総数の半分の数に設定してもよい。
【符号の説明】
【０１７１】
１０，１０Ａ…電子時計、１１…文字板、１１０…アンテナ体、１１５…アンテナ接続ピン、１１６…地板受リング、１２０…回路基板、１２２…受信装置、１２５…地板、１３０…二次電池、１３５…ソーラーパネル、１４０…駆動機構、１４１…秒針モーター、１４２…時分針モーター、１４３…カレンダーモーター、１４４…秒クロノグラフ針モーター、１４５…分クロノグラフ針モーター、１４６…時クロノグラフ針モーター、１５…カレンダー小窓、１５０…制御装置、１５１…測時部、１５２…測位部、１５３…自動時刻修正部、１５４…タイムゾーン修正部、１５５…表示修正部、１５６…リューズ段数判定部、１５９…計時装置、１６…カレンダー車、１６０…記憶装置、１６１…時刻データ記憶部、１６２…受信時刻データ、１６３…閏秒更新データ、１６４…内部時刻データ、１６５…時計表示用時刻データ、１６６…タイムゾーンデータ、１６７…タイムゾーンデータ記憶部、１６８…定時受信時刻記憶部、１６９…表示修正データ記憶部、１６９Ａ…表示修正モード、１６９Ｂ…修正量、１６９Ｃ…修正量、１６９Ｄ…リューズ段数、１６９Ｅ…ボタン操作、１７０…リューズ回転操作判定部、１７１…判定タイマー、１７２…連続修正カウンター、１７３…信号判定部、２０…表示装置、２０Ａ…表示装置、２１，２２，２３…指針、２５…指針軸、３０…外装ケース、３１…ケース、３２…ベゼル、３３…カバーガラス、３４…裏蓋、３５…都市情報、４０…ダイヤルリング、４５…時差情報、４６…タイムゾーン表示、５０…リューズ、５１…巻真、５２…スイッチ車、５３…歯、５５Ａ…第三スイッチ、５５Ｂ…第四スイッチ、５６Ａ…第一スイッチ、５６Ｂ…第二スイッチ、５７…接点バネ、５７Ａ，５７Ｂ…接点、５８…移動体、５９…回転検出部、６１，６１Ａ…Ａボタン、６２，６２Ａ…Ｂボタン、６３…Ｃボタン、６４…Ｄボタン、６９，６９Ａ…入力装置、７０…第１小窓、７１…指針、８…ＧＰＳ衛星、８０…第２小窓、８１…指針、９０…第３小窓、９１…指針、９２，９３…記号。
【図１】
2015184186.tif 000003
【図２】
2015184186.tif 000004
【図３】
2015184186.tif 000005
【図４】
2015184186.tif 000006
【図５】
2015184186.tif 000007
【図６】
2015184186.tif 000008
【図７】
2015184186.tif 000009
【図８】
2015184186.tif 000010
【図９】
2015184186.tif 000011
【図１０】
2015184186.tif 000012
【図１１】
2015184186.tif 000013
【図１２】
2015184186.tif 000014
【図１３】
2015184186.tif 000015
【図１４】
2015184186.tif 000016
【図１５】
2015184186.tif 000017
【図１６】
2015184186.tif 000018
【図１７】
2015184186.tif 000019
【図１８】
2015184186.tif 000020
【図１９】
2015184186.tif 000021
【図２０】
2015184186.tif 000022
【図２１】
2015184186.tif 000023
【図２２】
2015184186.tif 000024
【図２３】
2015184186.tif 000025
【図２４】
2015184186.tif 000026
【図２５】
2015184186.tif 000027